(57)【要約】      （修正有）【課題】ノートカバーを開いたり閉じたりする場合にペンホルダーが邪魔になることがなく、複数の筆記具を外側にて保持できるノートカバーを提供する。【解決手段】外側の表表紙部の面において、その中央部分に筆記具を保持するペンホルダー３０を形成し、背表紙部の長辺に平行な表表紙部の端辺寄りに開口部２０ａを備えるポケット部２０を形成し、ポケット部２０の開口部２０ａより背表紙部側にペンホルダー３０が設けられているものであり、ペンホルダー３０とポケット部２０を用いれば、複数の筆記具を保持できるノートカバーである。【選択図】図４
0003211925.tif 000002
【実用新案登録請求の範囲】
【請求項１】
表表紙部と、裏表紙部と、前記表表紙部と前記裏表紙部とを接続する背表紙部とを備え、
前記表表紙部又は前記裏表紙部の少なくとも一方の面において、端辺を除く中央部に筆記具を保持するホルダー部を設けたことを特徴とするノートカバー。
【請求項２】
ホルダー部が設けられた面において、前記ホルダー部が、背表紙部の長辺に対向する端辺の中央部分と前記背表紙部の長辺の中央部分とを結ぶ線に交差して筆記具が保持されるよう設けられていることを特徴とする請求項１記載のノートカバー。
【請求項３】
ホルダー部が設けられた面において、背表紙部の長辺に対向する端辺寄りに挿入口を有するポケット部が設けられ、前記挿入口と前記背表紙部との間に前記ホルダー部が設けられていることを特徴とする請求項１又は２記載のノートカバー。
【請求項４】
ホルダー部が、ポケット部の挿入口に隣接して形成されていることを特徴とする請求項３記載のノートカバー。
【請求項５】
表表紙部又は裏表紙部の少なくとも一方の面において、背表紙部の長辺に対向する端辺の中央部分と前記背表紙部の長辺の中央部分との間に伸縮可能なバンドを形成し、前記バンドにおいて、前記一方の面に固定されておらず、前記バンドに交差する方向から筆記具を挿入可能な隙間部を形成してホルダー部としたことを特徴とする請求項１又は２記載のノートカバー。
【請求項６】
表表紙部又は裏表紙部の少なくとも一方の面とバンドを固定する固定部を複数設け、複数の隙間部を形成して、筆記具を複数保持可能としたことを特徴とする請求項５記載のノートカバー。
【請求項７】
バンドが、表表紙部と裏表紙部の両方に形成されていることを特徴とする請求５又は６記載のノートカバー。
【考案の詳細な説明】
【技術分野】
【０００１】
本考案は、ノートを収納するノートカバーに係り、特に、表（おもて）表紙部の外側中央部分に筆記具を保持できるノートカバーに関する。
【背景技術】
【０００２】
［先行技術の説明］
従来のノートカバーは、ペンホルダーを備えるものがあるが、そのペンホルダーは、裏（うら）表紙部の端辺に筒状のものが取り付けられる構成となっていた。
また、ペンホルダーは、１本のペンを保持する構成であった。
【０００３】
［関連技術］
尚、関連する先行技術としては、特開２０１３−１０７３７７号公報「ペン挿し手帳」（特許文献１）、特開２００８−１４２６５０号公報「ペン挿し付きの手帳カバー」（特許文献２）、実用新案登録第３１７１６３７号公報「手帳カバーおよびカードホルダー」（特許文献３）、特開２０１４−０４６５７８号公報「ペンホルダー付きの手帳カバー」（特許文献４）、特開２０１５−１０４９１４号公報「ペンホルダー」（特許文献５）がある。
【０００４】
特許文献１には、手帳カバーの表面の端部に段差部を設け、段差部の縁にペンを挿すことがえきる構成が記載されている。
特許文献２には、手帳カバーの長辺の縁に、外側に張り出してペン挿し部を設けた構成が記載されている。
特許文献３には、二つ折り手帳カバーの表紙部分の端辺にペンホルダーを設けた構成が記載されている。
【０００５】
特許文献４には、手帳カバーの内側にペンホルダーを設け、紐部材によってペンホルダー部分を巻いて折り畳む構成が記載されている。
特許文献５には、手帳又はブックカバーの内側に固定されたベルト状のペンホルダーで、その一部は伸縮性のある素材で形成されている構成が記載されている。
【先行技術文献】
【特許文献】
【０００６】
【特許文献１】特開２０１３−１０７３７７号公報
【特許文献２】特開２００８−１４２６５０号公報
【特許文献３】実用新案登録第３１７１６３７号公報
【特許文献４】特開２０１４−０４６５７８号公報
【特許文献５】特開２０１５−１０４９１４号公報
【考案の概要】
【考案が解決しようとする課題】
【０００７】
しかしながら、従来のノートカバーでは、ペンホルダーが表表紙部又は裏表紙部の端部に形成されているため、ペンが装着された状態ではノートを開いたり閉じたりする時に邪魔になることがあるという問題点があった。
また、通常、ペンを１本保持する程度のものであるため、複数の筆記具を保持できないという問題点があった。
【０００８】
尚、特許文献１〜５には、ペンホルダーがノートカバーの開閉時に邪魔にならない位置に配置されている構成は示されておらず、更に、複数の文房具を使いやすく保持する構成については記載されていない。
【０００９】
本考案は上記実状に鑑みて為されたもので、ノートカバーを開いたり閉じたりする場合にペンホルダーが邪魔になることがなく、複数の筆記具を外側にて保持できるノートカバーを提供することを目的とする。
【課題を解決するための手段】
【００１０】
上記従来例の問題点を解決するための本考案は、ノートカバーにおいて、表表紙部と、裏表紙部と、表表紙部と裏表紙部とを接続する背表紙部とを備え、表表紙部又は裏表紙部の少なくとも一方の面において、端辺を除く中央部に筆記具を保持するホルダー部を設けたことを特徴とする。
【００１１】
また、本考案は、上記ノートカバーにおいて、ホルダー部が設けられた面において、ホルダー部が、背表紙部の長辺に対向する端辺の中央部分と背表紙部の長辺の中央部分とを結ぶ線に交差して筆記具が保持されるよう設けられていることを特徴とする。
【００１２】
また、本考案は、上記ノートカバーにおいて、ホルダー部が設けられた面において、背表紙部の長辺に対向する端辺寄りに挿入口を有するポケット部が設けられ、挿入口と背表紙部との間にホルダー部が設けられていることを特徴とする。
【００１３】
また、本考案は、上記ノートカバーにおいて、ホルダー部が、ポケット部の挿入口に隣接して形成されていることを特徴とする。
【００１４】
また、本考案は、上記ノートカバーにおいて、表表紙部又は裏表紙部の少なくとも一方の面において、背表紙部の長辺に対向する端辺の中央部分と背表紙部の長辺の中央部分との間に伸縮可能なバンドを形成し、バンドにおいて、当該一方の面に固定されておらず、バンドに交差する方向から筆記具を挿入可能な隙間部を形成してホルダー部としたことを特徴とする。
【００１５】
また、本考案は、上記ノートカバーにおいて、表表紙部又は裏表紙部の少なくとも一方の面とバンドを固定する固定部を複数設けて、複数の隙間部を形成して、筆記具を複数保持可能としたことを特徴とする。
【００１６】
また、本考案は、上記ノートカバーにおいて、バンドが、表表紙部と裏表紙部の両方に形成されていることを特徴とする。
【考案の効果】
【００１７】
本考案によれば、表表紙部と、裏表紙部と、それらを接続する背表紙部とを備え、表表紙部又は裏表紙部の少なくとも一方の面において、端辺を除く中央部に筆記具を保持するホルダー部を設けたノートカバーとしているので、ノートカバーの開閉時にホルダー部に装着された筆記具が邪魔になることがないという効果がある。
【図面の簡単な説明】
【００１８】
【図１】第１のノートカバーの概略図である。
【図２】第１のノートカバーの外側を開いた状態の概略図である。
【図３】第１のノートカバーの内側を開いた状態の概略図である。
【図４】ペンホルダーにペンを装着した概略図である。
【図５】第２のノートカバーの概略図である。
【図６】第２のノートカバーの外側を開いた状態の概略図である。
【図７】第２のノートカバーの内側を開いた状態の概略図である。
【図８】第３のノートカバーの外側を開いた状態の概略図である。
【図９】第３のノートカバーの内側を開いた状態の概略図である。
【考案を実施するための形態】
【００１９】
本考案の実施の形態について図面を参照しながら説明する。
［実施の形態の概要］
本考案の実施の形態に係るノートカバーは、表表紙部又は裏表紙部の少なくとも一方の面の中央部分に筆記具を保持するホルダー部を形成し、背表紙部の長辺に平行な表表紙部又は裏表紙部の端辺側に挿入口（開口部）を備えるポケット部を形成し、ポケット部の開口部より背表紙部側にホルダー部が設けられているものであり、ノートカバーの開閉時にホルダー部に装着された筆記具が邪魔になることがなく、ホルダー部及びポケット部を用いれば、複数の筆記具を保持できるものである。
【００２０】
また、本考案の実施の形態に係るノートカバーは、表表紙部又は裏表紙部の少なくとも一方の面の中央部分に筆記具を保持するホルダー部を形成し、背表紙部の長辺に平行な表表紙部又は裏表紙部の端辺と背表紙部とを伸縮可能なバンドで接続し、バンドに交差する方向から筆記具を挿入可能な隙間部を形成してホルダー部としたものであり、ノートカバーの開閉時にホルダー部に装着された筆記具が邪魔になることがなく、ホルダー部に複数の筆記具を保持できるものである。
【００２１】
［第１のノートカバー：図１〜４］
本考案の実施の形態に係る第１のノートカバー（第１のノートカバー）について図１〜４を参照しながら説明する。図１は、第１のノートカバーの概略図であり、図２は、第１のノートカバーの外側を開いた状態の概略図であり、図３は、第１のノートカバーの内側を開いた状態の概略図であり、図４は、ペンホルダーにペンを装着した概略図である。
【００２２】
第１のノートカバーは、図２に示すように、外側において、表表紙部１１ａと、裏表紙部１２ａと、表表紙部１１ａと裏表紙部１２ａを接続する背表紙部１３ａとを基本的に備えている。
また、第１のノートカバーは、図３に示すように、内側において、表表紙部１１ｂと、裏表紙部１２ｂと、表表紙部１１ｂと裏表紙部１２ｂを接続する背表紙部１３ｂとを基本的に備えている。
つまり、外側の表表紙部１１ａ、裏表紙部１２ａ、背表紙部１３ａに対して、内側の表表紙部１１ｂ、裏表紙部１２ｂ、背表紙部１３ｂが裏面となっている。
尚、第１のノートカバーの素材としては、特殊ペーパー、布、合成皮革、革等を用いている。
【００２３】
［表表紙部１１ａ，１１ｂ］
表表紙部１１ａと表表紙部１１ｂとは、芯材を介して張り合わされた形状となっている。
また、外側の表表紙部１１ａには、後述するとおり、ポケット部２０とペンホルダー３０を備えている。
尚、請求項の筆記具を保持するホルダー部がペンホルダー３０に相当している。
【００２４】
また、内側の表表紙部１１ｂは、図３に示すように、ノートの挿込口１１ｃを備えており、全体としてはポケット部となっている。
更に、表表紙部１１ｂには、カード等を挿入可能なカード挿入口４０が形成されている。
【００２５】
［裏表紙部１２ａ，１２ｂ］
裏表紙部１２ａと裏表紙部１２ｂとは、芯材を介して張り合わされた形状となっている。
また、内側の裏表紙部１２ｂは、図３に示すように、ノートの挿込口１２ｃを備えており、全体としてはポケット部となっている。
尚、芯材としては、厚紙又はプラスチックの板を用いている。
【００２６】
第１のノートカバーでは、例えば、挿込口１１ｃにはダイアリーのノートを挿入し、挿込口１２ｃにはメモ用のノートを挿入するなどして、２冊のノートを使用することができるようになっている。
尚、第１のノートカバーにおいては、ノートを挿し込む方式としているが、内側の背表紙部１３ｂにリングを取り付け、リフィルを綴じる方式としてもよい。
【００２７】
［背表紙部１３ａ，１３ｂ］
背表紙部１３ａと背表紙部１３ｂとが張り合わされている。この部分は、折り曲げられる部分となるため、芯材は挿入されていない。
【００２８】
［ポケット部２０］
そして、第１のノートカバーは、図１，２，４に示すように、表表紙部１１ａに横方向（矢印方向）から書類等を挿入可能な挿入口（開口部）２０ａを備えるポケット部２０が形成されている。
開口部２０ａは、背表紙部１３ａの長辺に対向する端辺側に設けられている。
また、開口部２０ａは、当該端辺に平行に設けられているが、厳密な平行ではなく、斜めに形成されていてもよい。
【００２９】
ポケット部２０には、書類だけでなく定規等の文房具等を挿入可能である。また、開口部２０ａの縁にペンのクリップを差し込んで、ペン本体を表表紙部１１ａの表面に乗せたまま保持することが可能である。このようにすれば、ペンホルダー３０以外に複数の筆記具を保持可能となる。
【００３０】
［ペンホルダー３０］
第１のノートカバーにおいて、ペンホルダー３０が開口部２０ａに沿ってポケット部２０に取り付けられている。つまり、ペンホルダー３０が、第１のノートカバーの端辺を除く中央部に形成されている。
具体的には、背表紙部１３ａの長辺に対向する表表紙部１１ａの端辺の中央部分と背表紙部１３ａの長辺の中央部分とを結ぶ線に交差するようペン等の筆記具が保持されるようペンホルダー３０が設けられている
【００３１】
ペンホルダー３０は、革製、合皮製、布製等であって、筒状の形状で両端が開口してペン等の筆記具を挿入して装着できるようになっている。
ここで、ペンホルダー３０は、ポケット部２０に固定されているものの、表表紙部１１ａには接続していないため、開口部２０ａに書類を入れる際に邪魔になるものではない。
【００３２】
ペンホルダー３０へのペンの装着は、図４では、ペン本体を挿入しているが、ペンのクリップをペンホルダー３０に引っ掛けるようにしてもよい。ペンのクリップを引っ掛ける方式であれば、複数本のペンを装着可能となる。
【００３３】
［形状の特徴］
第１のノートカバーでは、構成を明確にするために、表表紙部、背表紙部、裏表紙部に分けて説明したが、実際は、ポケット部２０と背表紙部１３ａと裏表紙部１２ａとが一体の特殊ペーパー等で形成されている。
また、表表紙部１１ａにおいて、ポケット部２０が覆っている部分は裏地となっている。同様に、表表紙部１１ｂと裏表紙部１２ｂにおいて、それぞれのポケット部が覆っている部分は裏地になっている。
【００３４】
［第２のノートカバー：図５〜７］
次に、本考案の実施の形態に係る第２のノートカバー（第２のノートカバー）について図５〜７を参照しながら説明する。図５は、第２のノートカバーの概略図であり、図６は、第２のノートカバーの外側を開いた状態の概略図であり、図７は、第２のノートカバーの内側を開いた状態の概略図である。
【００３５】
第２のノートカバーは、図５〜７に示すように、外側が表表紙部１０１ａと、裏表紙部１０２ａと、それらを接続する背表紙部１０３ａとから構成され、内側が表表紙部１０１ｂと、裏表紙部１０２ｂと、それらを接続する背表紙部１０３ｂとから構成されている。
尚、第１のノートカバーでは、ノートを挿し込む方式で説明したが、第２のノートカバーでは、リフィルを綴じるリング１３０が設けられている。 
【００３６】
［ゴムバンド１１０］
第２のノートカバーの特徴としては、表表紙部１０１ａ、背表紙部１０３ａ、裏表紙部１０２ａを横断するように、伸縮可能な素材のゴムバンド１１０が形成されている。
そのゴムバンド１１０は、表表紙部１０１ａにおいて形成されたゴムバンド部１１０ａと、背表紙部１０３ａを横切るように形成されたゴムバンド部１１０ｃと、裏表紙部１０２ａにおいて形成されたゴムバンド部１１０ｂとから構成され、それらが一体のバンドとなっている。
【００３７】
そして、ゴムバンド部１１０ａにおいて、スナップボタンのメスボタン１１０ｄが設けられた部分は、表表紙部１０１ａに縫い付けられて固定されている。
ゴムバンド部１１０ｃの部分も背表紙部１０３ａと、それに隣接する表表紙部１０１ａ及び裏表紙部１０２ａに縫い付けられて固定されている。
また、ゴムバンド部１１０ｂに接続するベルト部１２０は、裏表紙部１０２ａに縫い付けられて固定されている。
【００３８】
更に、ゴムバンド部１１０ａにおいて、スナップボタン１１０ｄとゴムバンド部１１０ｃとの間に複数の固定部を設けている。固定部は、背表紙部１０３ａの長辺に平行にゴムバンド部１１０ａと表表紙部１０１ａとを縫い付けて固定するものである。
図６の例では、５箇所の固定部が設けられている。つまり、固定部と固定部との間の部分は、表表紙部１０１ａに固定されず、筆記具を挿入可能な隙間部となっている。図６の例では、４つの隙間部が形成されている。
そして、ゴムバンド部１１０ａの長手方向に交差する方向（図６の矢印の方向）から筆記具が挿入される。図５では、筆記具３０１，３０２が装着された状態を示している。
【００３９】
同様に、ゴムバンド部１１０ｂにおいて、４箇所の固定部が設けられており、固定部と固定部との間に３つの隙間部が形成されている。
その隙間部に対して、ゴムバンド部１１０ｂの長手方向に交差する方向（図６の矢印の方向）から筆記具又は文房具等が挿入されるようになっている。
尚、背表紙部にもゴムバンド部１１０ｃの中央に隙間部を設けてもよい。
【００４０】
また、裏表紙部１０２ａのゴムバンド部１１０ｂに接続して、背表紙部１０３ａの長辺に平行な端辺側にベルト部１２０が形成されている。
そして、ベルト部１２０の先端内側にはスナップボタンのオスボタン（図示せず）が形成され、表表紙部１０１ａのメスボタン１１０ｄにはめ込まれるようになっている。
【００４１】
ゴムバンド部１１０ａにおいて、筆記具を挿入可能か隙間部が４箇所形成され、ゴムバンド部１１０ｂにおいて、筆記具又は文房具を挿入可能な隙間部が３箇所形成されている。
ゴムバンド部１１０ａにおいて４箇所形成された隙間部は、その中の１つが他の隙間部に比べて、横方向の幅が広く形成されているので、大き目の筆記具も挿入可能となっている。横方向の幅が長い隙間部を複数設けるようにしてもよい。
尚、ゴムバンド部１１０ａにおける隙間部の横方向の幅は、全て同じとしてもよい。
【００４２】
また、ゴムバンド部１１０ｂにおいて３箇所形成された隙間部は、ゴムバンド部１１０ａの隙間部に比べて横方向の幅が広い形状としているので、定規や付箋などが挿入可能となっている。
尚、ゴムバンド部１１０ｂにおける隙間部の横方向の幅は、異なるようにしてもよいし、全て同じとしてもよい。
【００４３】
［内側の構造］
内側では、図７に示すように、内側の表表紙部１０１ｂには背表紙部１０３ｂ側から書類等を挿入可能なポケット部１４０ａが形成され、そのポケット部１４０ａ上に上側に開口部を有するポケット部１４０ｂ，１４０ｃが形成されている。
ポケット部１４０ｂ，１４０ｃは、カード等を挿入するためのものである。
【００４４】
内側の裏表紙部１０２ｂには、略扇形のポケット部１５０が形成され、背表紙部１０３ｂ側及び上側から書類等が挿入可能となっている。
また、背表紙部１０３ｂには１５ｍｍ径のリング１３０が取り付けられ、リフィルを綴じるようになっている。
内側を、リング方式ではなく、ノートを挿し込むことができるノート挿込式の構造にしてもよい。
【００４５】
［第３のノートカバー：図８，９］
次に、本考案の実施の形態に係る第３のノートカバー（第３のノートカバー）について図８，９を参照しながら説明する。図８は、第３のノートカバーの外側を開いた状態の概略図であり、図９は、第３のノートカバーの内側を開いた状態の概略図である。
第２のノートカバーがＡ５サイズのノート用であったが、第３のノートカバーは聖書サイズで第２のノートカバーに比べて小型のものとなっている。
【００４６】
第３のノートカバーは、図８，９に示すように、外側が表表紙部２０１ａと、裏表紙部２０２ａと、それらを接続する背表紙部２０３ａとから構成され、内側が表表紙部２０１ｂと、裏表紙部２０２ｂと、それらを接続する背表紙部２０３ｂとから構成されている。
また、ゴムバンド２１０を横断して形成され、ゴムバンド部２１０ａ，２１０ｃ，２１０ｂが連続し、ベルト部２２０に接続している。
内側では、背表紙部２０３ｂにリング２３０が形成されている。
【００４７】
第３のノートカバーは、基本的には第２のノートカバーと同様の構成であるが、サイズを小型化しているので、表表紙部２０１ａにおけるゴムバンド部２１０ａの隙間部の数が３つとなっている。
【００４８】
［実施の形態の効果］
第１〜３のノートカバーによれば、筆記具を保持するホルダーを表表紙部又は裏表紙部の端部ではなく中央に形成することで、開閉時に保持された筆記具が邪魔にならないという効果がある。
【００４９】
第１のノートカバーによれば、ペンホルダー３０にペン等を挿入し、ポケット部２０に書類又は文房具を挿入でき、更にポケット部２０の縁にペンのクリックを引っ掛けることで複数の筆記具を保持できる効果がある。
【００５０】
第２，３のノートカバーによれば、ゴムバンド１１０，２１０に隙間部を形成することで、筆記具を複数装着できる効果がある。
【産業上の利用可能性】
【００５１】
本考案は、ノートカバーを開いたり閉じたりする場合にペンホルダーが邪魔になることがなく、複数の筆記具を外側にて保持できるノートカバーに適している。
【符号の説明】
【００５２】
１１ａ，１１ｂ，１０１ａ，１０１ｂ，２０１ａ，２０１ｂ…表表紙部、  １１ｃ…挿込口、  １２ａ，１２ｂ、１０２ａ，１０２ｂ，２０２ａ，２０２ｂ…裏表紙部、  １２ｃ…挿込口、  １３ａ，１３ｂ、１０３ａ，１０３ｂ，２０３ａ，２０３ｂ…背表紙部、  ２０…ポケット部、  ２０ａ…開口部、  ３０…ペンホルダー、  ４０…カード挿入口、  １１０，２１０…ゴムバンド、  １２０，２２０…ベルト部、  １１０ａ,１１０ｂ、１１０ｃ，２１０ａ，２１０ｂ，２１０ｃ…ゴムバンド部、  １１０ｄ、２１０ｄ…メスボタン、  １３０，２３０…リング、  １４０ａ，１４０ｂ，１４０ｃ，１５０，２４０ａ，２４０ｂ，２４０ｃ，２５０…ポケット部、  ３０１，３０２…筆記具
【図１】
0003211925.tif 000003
【図２】
0003211925.tif 000004
【図３】
0003211925.tif 000005
【図４】
0003211925.tif 000006
【図５】
0003211925.tif 000007
【図６】
0003211925.tif 000008
【図７】
0003211925.tif 000009
【図８】
0003211925.tif 000010
【図９】
0003211925.tif 000011